(57)【要約】【課題】青竹踏みと同様に足裏を刺激することができる効果が期待される靴下に関し、その耐久性を向上させた靴下を提供すること目的とする。【解決手段】本考案に係る靴下Ｓは、丸編機の編成により、足底部の内面の平面に袋状の凸部をタック編とカットボス編の交互編成で形成し、点在させたものであり、前記凸部は中心部と周辺部からなり、前記中心部は、複数のコースを１目に編み込んで形成され、前記周辺部は、前記中心部よりも少ないコース数を１目に編み込んで形成されている。【選択図】図１
0003165324.tif 000002
【実用新案登録請求の範囲】
【請求項１】
足底部の内面から突出する略球状の凸部を、タック編とカットボス編の交互編成で形成する共に、それぞれ独立に、且つ、点在させた靴下であって、
前記凸部は中心部とこれに隣接する周辺部からなり、前記中心部のタック編は、前記周辺部のタック編よりも多くのコース数がタック取りされていることを特徴とする靴下。
【請求項２】
前記凸部は、足先から土踏まずにかけて漸次その径を増加させ、土踏まずから踵にかけて漸次その径を減少させるものであって、
土踏まずから足先方向及び踵方向に点在される凸部の中心部及び周辺部は、漸次、土踏まずに点在する前記凸部の中心部及び周辺部の各タック編よりも少ないコース数がタック取されていることを特徴とする請求項１に記載の靴下。
【請求項３】
前記凸部は、足先から土踏まずにかけて漸次その点在幅を狭め、土踏まずから踵にかけて漸次その点在幅を拡げることを特徴とする請求項１又は請求項２に記載の靴下。
【請求項４】
前記靴下の脚部及び甲部は、タック編により編成したことを特徴とする請求項１乃至請求項３の何れかに記載の靴下。
【考案の詳細な説明】
【技術分野】
【０００１】
本考案は、青竹踏みと同様に、足裏を刺激することができる効果が期待されるイボ状凸部を編成した靴下に関するものである。
【背景技術】
【０００２】
足裏を刺激することができる靴下として、特許文献１では、靴下本体の底部に柔軟樹脂により指圧突起を形成した「健康靴下」が開示されており、その実施例では、塩化ビニール樹脂からなる指圧突起は、靴下の裏面に熱接着されている。
【０００３】
しかし、繊維に対する合成樹脂の熱接着においては、その樹脂が繊維から剥離される恐れがある。
特に、繰り返し洗濯機等で揉み洗いされる靴下の場合には、その樹脂の繊維からの剥離が懸念される。
【先行技術文献】
【特許文献】
【０００４】
【特許文献１】実公平３−９７３０号公報
【考案の概要】
【考案が解決しようとする課題】
【０００５】
そこで、本考案は、青竹踏みと同様に足裏を刺激することができる効果が期待されるイボ状凸部付き靴下に関し、その耐久性を向上させることができる靴下を提供すること目的とする。
【課題を解決するための手段】
【０００６】
本考案は、足底部の内面から突出するイボ状（略球状、ドーム状又は袋状とも表現できる）の凸部を、タック編とカットボス編の交互編成で形成し、且つ、それぞれ独立させて点在させた靴下であって、前記凸部は中心部とこれに隣接する周辺部からなり、前記中心部のタック編は、前記周辺部のタック編よりも多いコース数を１目に編込んで形成されることを特徴とする（請求項１に記載の考案）。
【０００７】
上記考案において、前記凸部は、足先から土踏まずの位置にかけて漸次その径を増加させ、土踏まずから踵の位置にかけて漸次その径を減少させるものであって、土踏まずから足先方向及び踵方向に点在される凸部の中心部及び周辺部は、漸次、土踏まずに点在する前記凸部の中心部及び周辺部の各タック編よりも少ないコース数を１目に編み込んで形成されることを特徴とする（請求項２に記載の考案）。
【０００８】
上記考案において、前記凸部は、足先から土踏まずの位置にかけて漸次その点在幅を狭め、土踏まずから踵の位置にかけて漸次その点在幅を拡げることを特徴とする（請求項３に記載の考案）。
【０００９】
前記靴下の脚部及び甲部は、タック編により編成したことを特徴とする（請求項４に記載の考案）。
【考案の効果】
【００１０】
本考案に係る靴下は、イボ状の凸部を足底部の内面の平面に点在させて編成されているので、青竹踏みと同様に足裏を刺激することができる効果が期待され、しかも、凸部は靴下として編成され、編み上げられるので、その耐久性を向上させることができる。
【図面の簡単な説明】
【００１１】
【図１】図１は、本考案に係る靴下の側面図、
【図２】図２は、本考案に係る靴下の底面内面の平面図、
【図３】図３は、図２の矢視方向の組合せ断面図、
【図４】図４は、本考案に係る別例の靴下の側面図、
【図５】図５は、靴下の編地組織の模式的な平面図、
【図６】図６は、靴下の編地組織の模式的な平面図である。
【考案を実施するための形態】
【００１２】
本考案に係る靴下の構成例を図１〜図３に基づいて詳細に説明する。
本考案に係る靴下Ｓは、その足底部Ｅの内面Ｅ１の平面に、靴下の着用者の足底に向けられる略球状（イボ状、ドーム状又は袋状）の凸部１をタック編とカットボス編の交互編成で形成し、点在させたものである。
【００１３】
前記凸部１は中心部２と周辺部３からなり（図２の吹出図を参照）、前記中心部２は、複数のコースでタックをとったタック編とカットボス編の交互編成を少なくとも一組として構成されている。この中心部２の左右の周辺部３は、それぞれ前記中心部２のタック数よりも少なくタックをとったタック編とカットボス編の交互編成を少なくとも一組として構成されている。
即ち、前記中心部２は、複数のコースを１目に編み込んで形成され、前記周辺部３は、前記中心部２よりも少ないコース数を１目に編み込んで形成されているので、前記凸部１は足底部Ｅの内面Ｅ１の平面に対し中心部２が周辺部３よりも厚く編成され、球体状に形成される。
【００１４】
前記足底部Ｅの内面Ｅ１に点在する各凸部１（図２では凸部群１０〜凸部群１６として示す）は、隣接する凸部１の周辺部３が複数のウェルの間隔で、且つ、上下方向に隣接する凸部１の中心部２が複数のコースの間隔で編成されているので、各凸部１はそれぞれ独立している。
【００１５】
図２に示したように、前記凸部１は、爪先部Ｇに近い領域では底部Ｅの横幅一杯の点在幅で点在し、その爪先から土踏まずにかけて漸次その点在幅を狭め、土踏まずから踵部Ｃにかけて漸次その点在幅を拡げて、踵に近い領域では横幅一杯の点在幅になるように編成される。
【００１６】
また、図２の組合せ断面の図３に示したように、前記凸部１は、爪先部Ｇから土踏まずの領域にかけて漸次その径及び高さを増加させ、土踏まずの領域から踵部Ｃにかけて漸次その径及び高さを減少させるようにしてもよい。
具体的には、土踏まずの領域に点在させる凸部群１２〜１４の各凸部の中心部２は複数のコースを１目に編み込んで形成し、周辺部３は前記中心部２よりも少ないコース数を１目に編み込んで形成すると共に、土踏まずから爪先部Ｇ方向及び踵部Ｃ方向に点在される凸部群１０及び１１及び凸部群１５及び１６の各凸部の中心部２及び周辺部３は、漸次、前記凸部群１２〜１４の各凸部の中心部２及び周辺部３よりも少ないコース数を１目に編み込んで形成されている。
【００１７】
図１〜図３においては、各凸部１は、一定の規則性に基づいて配置されているが、これに限定されるものではない。前記凸部群１０〜１６の各凸部の個数は、その数を増減させることも可能であり、例えば、凸部群１０の５個の凸部１を７個、或いは４個にする等である。また、前記凸部１は、爪先部Ｇから踵部Ｃにかけて、その径又は高さを互い違いに編成するようにしてもよい。また、不規則でも編成は可能であり、例えば、径又は高さを全くのランダム状に編成してもよい。
【００１８】
前記靴下の脚部Ｂ及び甲部Ｄは、前記底部Ｅとの編バランスを取るために、タック編により編成されている。
なお、前記底部Ｅのタック編において、一目に編成するコース数が少ない場合には、前記靴下の脚部Ｂ及び甲部Ｄとの編バランスを取る必要がないので、図４のように通常の編成でも問題はない。例えば、“３ＢＹ１”のストライプ柄の筒編として脚部を編成してもよい。
【実施例１】
【００１９】
図５及び図６に基づいて、本考案に係る靴下Ｓの編成方法を説明する。
なお各図において、「４」のスペースは平編のウェルを、「５」の点線はゴム編のウェルを、「６」の長円はタック編のウェルを、「７」の×印はカットボス編のウェルをそれぞれ示す。
靴下編機として、永田精機株式会社製ＫＳＣＥ−２３２の自動丸編機を使用する。
トップのゴム部Ａから最終編の爪先部Ｇまで、表糸に４９８デニールの綿・アクリル混紡糸を使用する。裏糸にＦＴＹ３０×７５を使用する。更にゴム部Ａ、脚部Ｂ、甲部Ｄ、底部Ｅにはゴム糸９０番を挿入したサポータタイプとする。
【００２０】
口ゴム部Ａ
“１ＢＹ１”のゴム編みで、２センチメートル編成する。
【００２１】
脚  部Ｂ
平編で４コース、次のウェルをゴム編の編成で４コース、次のウェルは２コースを一目のタック編で、次の２コースを平編で編成し、次のウェルをゴム編で４コース編成する。次のウェルを平編で４コース編成して、次のウェルはゴム編で４コース編成し、次のウェルは２コースを平編で２コースを一目のタック編で編成し、次のウェルはゴム編で４コースを編成する。
この編成でコース方向４コース、ウェル方向８本の編組織のワンリピート（図５の二点鎖線）が出来る。
ワンリピートを縦方向に１０ｃｍ、横方向に残りのウェル数全部に繰り返しして脚部Ｂを編成する。
【００２２】
踵  部Ｃ
次に踵部Ｃは通常の編で編成する。
【００２３】
甲  部Ｄ
次に甲部Ｄを前記脚部Ｂと同じ編組織で編成する。
【００２４】
底  部Ｅ
底部Ｅは、“１ＢＹ１”のゴム編みで、３５コース編成して、次にイボ状の凸部群１０〜１６の編成に入る。
ここでも、ワンリピートを単位に編成方法を説明する。
凸部群１０は、図６のワンリピート１０Ｒのように、ゴム編の編成で６コース、次のウェルは平編で６コース、次のウェルはゴム編の編成で２コース、カットボス編で２コース、再度ゴム編を２コースで編成し、次のウェルは２コースを平編で、２コースを一目のタック編で、次の２コースを平編で編成する。
次のウェルは１コースをゴム編で、４コースをカットボス編で、１コースをゴム編で編成し、次のウェルは６コースを一目のタック編で編成し、更に、次のウェルは６コースをカットボス編で編成して、次のウェルは、再度６コースを一目のタック編で編成する。
次のウェルは１コースをゴム編で、４コースをカットボス編で、１コースをゴム編で編成し、次のウェルは２コースを平編して、２コースを一目のタック編で、２コースを平編で編成し、次のウェルは２コースをゴム編して、２コースをカットボス編をして２コースをゴム編で編成し、次のウェルは６コースの平編で編成することによって、凸部群１０のワンリピート１０Ｒが出来る。
このワンリピート１０Ｒを底部Ｅのウェル方向の中心位置から両サイドに５個並べて余ったウェル数は“１ＢＹ１”のゴム編で編成する。
【００２５】
次に“１ＢＹ１”のゴム編で７コース編成する。
【００２６】
次の凸部群１１は、ゴム編の編成で７コース、次のウェルは平編で７コース編成して、次のウェルは２コースのゴム編で、３コースをカットボス編で、２コースをゴム編で編成し、次のウェルは２コースを平編して、３コースを一目のタック編し、２コースを平編みで編成する。
次のウェルは１コースをゴム編して、５コースをカットボス編で、１コースをゴム編で編成し、次のウェルは７コースを一目のタック編で編成し、次のウェルは７コースのカットボス編で編成して、次のウェルは、７コースを一目のタック編で編成する。
次のウェルは１コースのゴム編で５コースをカットボス編して、１コースをゴム編で編成し、次のウェルは２コースを平編で、３コースを一目のタック編にして、２コースを平編で編成し、次のウェルは２コースをゴム編で、３コースをカットボス編にして２コースをゴム編で編成し、次のウェルは７コースの平編で編成することによって、凸部１１のワンリピート分１１Ｒが編成出来る。
このワンリピート１１Ｒを底部Ｅのウェル方向の中心位置から両サイドに４個並べて余ったウェル数はゴム編で編成する。
【００２７】
次に“１ＢＹ１”のゴム編で７コース編成する。
【００２８】
次の凸部１２は、ゴム編を８コースで編成し、次のウェルは平編で８コース編成する。次のウェルはゴム編で３コース、カットボス編で２コース、ゴム編で３コースを編成し、次のウェルは平編で２コース、４コースを一目のタック編し、平編で２コース編成する。
次のウェルはゴム編で１コース、カットボス編で６コースを、ゴム編で１コースを編成し、次のウェルは８コースを一目のタック編で編成し、次のウェルは８コースのカットボス編で編成して、次のウェルは、８コースを一目のタック編で編成する。
更に次のウェルは１コースをゴム編で６コースをカットボス編をして、１コースをゴム編で編成し、次のウェルは２コースを平編でして、４コースを一目のタック編して、２コースの平編で編成し、次のウェルは３コースをゴム編して、２コースをカットボス編し３コースをゴム編で編成し、次のウェルは平編で８コース編成する。
こうして出来上がったのが、凸部群１２のワンリピート分１２Ｒである。
このワンリピートを底部Ｅのウェル方向の中心位置から両サイドに３個並べて余ったウェル数はゴム編で編成する。
【００２９】
次に“１ＢＹ１”のゴム編で７コース編成する。
【００３０】
次の凸部群１３は、凸部群１２と同じワンリピートを底部Ｅのウェル方向の中心位置から両サイドに２個並べて余ったウェル数はゴム編で編成し、次に“１ＢＹ１”のゴム編で７コース編成する。
【００３１】
次の凸部群１４は、凸部群１２と同じ編成にし、次に“１ＢＹ１”のゴム編で７コース編成する。
【００３２】
次の凸部群１５は、凸部群１１と同じ編成にし、次に“１ＢＹ１”のゴム編で７コース編成する。
【００３３】
次の凸部群１６は、凸部群１０と同じ編成にし、次に“１ＢＹ１”のゴム編で４０コース編成して底部Ｅは終了する。
【００３４】
上記カットボス編に使用している原料は、２２０デニールのナイロンである。
【００３５】
リングトウ部Ｆ
次に、リングトウＦを１５コース平編で編成する。
最後に爪先部Ｇを通常の編で編成する。
【００３６】
以上の本考案の靴下Ｓによれば、次のような作用効果を奏する。
（１）  略球状の各凸部１が足底部Ｅの内面Ｅ１の平面に、それぞれ独立して点在しているので、ピンポイントで足裏を刺激することができる。
（２）  各凸部１は靴下として編成され、編み上げられるので、その耐久性が向上し、商品価値を高めることができる。
（３）  爪先部Ｇに近い領域では底部Ｅの横幅一杯の点在幅で点在し、その爪先から土踏まずにかけて漸次その点在幅を狭め、土踏まずから踵部Ｃにかけて漸次その点在幅を拡げて、踵に近い領域では横幅一杯の点在幅になるように編成される場合には、足底の形に即して、足裏を刺激することができる。
（４）  前記凸部１は、爪先部Ｇから土踏まずにかけて漸次その径及び高さを増加させ、土踏まずから踵部Ｃにかけて漸次その径及び高さを減少させる場合には、土踏まずをピンポイントで刺激することができる。
【符号の説明】
【００３７】
Ｓ  靴下                                Ｅ  足底部
Ｅ１  内面
１  凸部                                １０〜１６  凸部群
２  中心部                              ３  周辺部
４  平編のウェル                        ５  ゴム編のウェル
６  タック編のウェル                    ７  カットボス編のウェル
【図１】
0003165324.tif 000003
【図２】
0003165324.tif 000004
【図３】
0003165324.tif 000005
【図４】
0003165324.tif 000006
【図５】
0003165324.tif 000007
【図６】
0003165324.tif 000008